(57)【特許請求の範囲】
【請求項１】
天井躯体に吊持される複数の吊りボルトを介して建築用パネルを敷設するＴバー等を組み付けてユニット天井面を形成し、前記吊りボルト間で一端を天井躯体側に基端を天井面側に架設して取り付けられる補強ブレースであって、少なくとも該補強ブレースの一端側をボルト部で構成する一方、該ボルト部には、ボルト部に螺入されて前記吊りボルトへ取着される取付金具を設け、該取付金具は、前記ボルト部が螺入されるナット部と、該ナット部から上下に延設されて前記吊りボルトに対しそれぞれを独立して引っ掛け係止する係止部を有する二股状の係止片とからなり、かつ、前記係止部の形成位置を、前記ボルト部が螺入される任意の傾斜角をもって夫々が係止されるよう形成せしめると共に、前記ボルト部先端を前記吊りボルトに対面当接可能に配置させて構成し、前記補強ブレースを、前記上下の係止部を係止させた後に基端側からの回転操作で前記ボルト部を緊締させ、前記任意傾斜角への角度誤差に対し上側または下側係止片の何れかで係止せしめることで調整取付けすべく構成したことを特徴とする天井用補強ブレースの取付構造。
【請求項２】
請求項１において、前記取付金具の上側係止片は、前記補強ブレースの略延長線上となるよう構成されていることを特徴とする天井用補強ブレースの取付構造。
【請求項３】
請求項１または２において、前記取付金具には、前記ボルト部の先端縁を支持する支持片が設けられていることを特徴とする天井用補強ブレースの取付構造。
【請求項４】
請求項１乃至３のいずれかにおいて、前記係止部はフック状に形成されていることを特徴とする天井用補強ブレースの取付構造。
【請求項５】
請求項１または４において、前記取付金具は、板状体を折曲してナット部と上下の係止片とが形成されていることを特徴とする天井用補強ブレースの取付構造。
【請求項６】
請求項５において、前記係止部は略Ｃ字型フック状に切欠き形成されていることを特徴とする天井用補強ブレースの取付構造。
【請求項７】
請求項１乃至６のいずれかにおいて、補強ブレースは、その本体がチャンネル材で構成され、ボルト部は、該チャンネル材に組み付けられていることを特徴とする天井用補強ブレースの取付構造。
【請求項８】
請求項１乃至７のいずれかにおいて、補強ブレースの本体は、ボルト部を含むボルト材で構成されていることを特徴とする天井用補強ブレースの取付構造。
【請求項９】
請求項１乃至８のいずれかにおいて、前記取付金具は、補強ブレースが略４５度の角度となるようナット部と二股状の係止片とが形成されていることを特徴とする天井用補強ブレースの取付構造。
【発明の詳細な説明】
【０００１】
【発明の属する技術分野】
本発明は、Ｔバー等により格子状に枠組みされてユニット化されたシステム天井などを形成する天井用補強ブレースの取付構造に関する。
【０００２】
【従来技術】
一般に、この種ユニット化されたシステム天井構造においては、天井ユニット全体を一体化させて耐震強度を向上させるために補強ブレースを、天井躯体に吊持される吊りボルト間で一端を天井躯体側に基端を天井面（Ｔバー）側に架設して取り付けする必要がある。
【０００３】
ところで、従来、補強ブレースの取り付けにあたっては、特開平７−３２４４２７公報に開示された如く、吊ボルト（２）の上端付近に上部振れ止め受け（７）を取り付け、これら下部振れ止め受け（２０）と上部振れ止め受け（７）との間に、野縁受（３）の長手方向に直交する横方向に対する振れ止め用ブレース（補強ブレース）として機能するチャンネル（１０）を、斜めに架け渡して取り付けるようになっていた。しかしながら、このものは上部振れ止め受け（７）を取り付ける祭に、高い位置での取付けとなるためユニット天井用の足場とは別の足場を組んで作業しなければならず、足場を組み外すという余計な作業が強いられることは勿論、上端側と下端側でチャンネル（１０）でそれぞれ取付け作業が強いられることとなり、作業効率が悪くコスト高の要因となっており、別途足場を必要とせず、かつ作業者が移動することなしに作業することができる補強ブレースの取付構造の出現が望まれていた。
なお、上記かっこ（）と共に付した符号は、前記公報中で使用された符号である。
【０００４】
【発明が解決しようとする課題】
本発明は、上記の如き問題点を一掃すべく創案されたものであって、補強ブレースを、吊持される吊りボルト間で傾斜架設させて取付けする際、先端側の取付金具を引っ掛けて基端側で回転操作するだけて、取付金具を吊りボルトの上部に取り付けすることができ、補強ブレースの引張り調整を含めた取り付け作業を全て基端側となる手元で行えるようになり、別途足場を必要とすることが無く、かつ作業者が移動することなしに簡単に取付けすることができ、作業コストを低減し作業性を向上することができる。しかも、取付金具の係止片が二股状となっているので、吊りボルトに対して直角または斜め方向に分力が働くようそれぞれを独立して支持させることができ、また、現場において基本傾斜角度に対して誤差調整が要求されても、ボルト部先端を支点として上側係止片または下側係止片の何れかで支持することが可能となって、±何れの取り付け傾斜誤差にも対応して用いることができる天井用補強ブレースの取付構造を提供することにある。
【０００５】
【課題を解決するための手段】
上記課題を解決するために本発明が採用した技術手段は、天井躯体に吊持される複数の吊りボルトを介して建築用パネルを敷設するＴバー等を組み付けてユニット天井面を形成し、前記吊りボルト間で一端を天井躯体側に基端を天井面側に架設して取り付けられる補強ブレースであって、少なくとも該補強ブレースの一端側をボルト部で構成する一方、該ボルト部には、ボルト部に螺入されて前記吊りボルトへ取着される取付金具を設け、該取付金具は、前記ボルト部が螺入されるナット部と、該ナット部から上下に延設されて前記吊りボルトに対しそれぞれを独立して引っ掛け係止する係止部を有する二股状の係止片とからなり、かつ、前記係止部の形成位置を、前記ボルト部が螺入される任意の傾斜角をもって夫々が係止されるよう形成せしめると共に、前記ボルト部先端を前記吊りボルトに対面当接可能に配置させて構成し、前記補強ブレースを、前記上下の係止部を係止させた後に基端側からの回転操作で前記ボルト部を緊締させ、前記任意傾斜角への角度誤差に対して上側または下側係止片の何れかで係止せしめることで調整取付けすべく構成したことを特徴とするものである。
【０００６】
【発明の実施の形態】
以下、本発明の実施の形態を好適な実施の形態として例示する天井用補強ブレースの取付構造に基づいて詳細に説明する。
図面において、１は天井躯体であって、該天井躯体１には、複数の吊りボルト２が所定間隔を存して吊持されており、この吊りボルト２の下端に建築用パネルを敷設するためのＴハンガー４１を介してＴバー４が天井面全体に格子状に組み付けられることでユニット天井面が形成されている。
【０００７】
５は前記吊りボルト２間で一端を天井躯体１側に基端を天井面となる前記Ｔバー４側に架設して取り付けられる補強ブレースであって、該補強ブレース５は、その一端側がボルト部５１で構成される。
図１は補強ブレース５の第１実施例であって、該補強ブレース５は、ブレース本体５ａがチャンネル材で形成されており、前記ボルト部５１にはブレース本体５ａへの取付片５１ａが形成されており、ブレース本体５ａとボルト部５１とが取付片５１ａを介してビス止め固定されている。
また、補強ブレース５の基端側は、吊りボルト２の下部に取着された連結金具４１ａを介してビス止め固定されるようになっている。
【０００８】
一方、図２は補強ブレース５の第２実施例であって、該補強ブレース５は、ブレース本体５ｂ自体がボルト材により構成されていて、ブレース本体５ｂとボルト部５１とが一体形成されている。
また、補強ブレース５の基端側は、吊りボルト２の下部に取着された連結金具４１ｂを介してナット止め固定されるようになっている。
なお、本実施例においては、補強ブレース５の全体にボルト溝が形成されているが、これに限定されるものでなく、先端部にのみボルト溝加工を施し、これをボルト部５１として形成させても良いことは勿論である。
【０００９】
６は前記ボルト部５１に螺入されて前記吊りボルト２へ取着される取付金具であって、該取付金具は、板状体を折曲してナット部６１と二股状の上下の係止片６２、６３とボルト部５１の先端縁を支持する支持片６４が一体形成されている。
前記ナット部６１は、ボルト部５１が螺入されるナット孔６１ａが、ボルト部５１先端が前記吊りボルト２に対面当接可能な位置に配して穿設されており、このナット部６１を介して上側係止片６２が略９０度（吊りボルト２に対して略４５度）の角度を持って、下側係止片６３が略１３０度（吊りボルト２に直行する略水平方向）の角度を持って、それぞれ異なる長さと角度に折曲形成されている。これにより前記ボルト部５１をナット部６１螺入した際に、前記補強ブレース５が略４５度の傾きが得られるようになっている。
【００１０】
前記上側係止片６２と、下側係止片６３には、前記吊りボルト２にフック状に係止するための略Ｃ字状の係止部６２ａ、６３ａがそれぞれ切欠き形成されており、この係止部６２ａと６３ａの吊りボルト２対する形成位置が、前記補強ブレース５の傾斜角（略４５度）が享受されるよう形成され、両者のそれぞれが支持片となって前記吊りボルト２に対して直線的に係止されるようになっている。
また、係止部６２ａの吊りボルト２への引っ掛かり部分は、係止が確実に行われるように水平方向に折曲されているが、この引っ掛かり部分の形状、深さなどは適宜に変更できることは言うまでもない。
【００１１】
前記支持片６４は、ボルト部５１の先端部を吊りボルト２に正確に当接案内する案内片であると共に、ボルト部５１の先端部が吊りボルト２に当接した際、当該先端部に対して前記ナット部６１間で曲げ応力の負荷が加わらないように支持する機能を有し、前記係止部６２ａのＣ字状形成の下部側を利用して折曲形成されている。
【００１２】
叙述の如く構成された本発明の実施例の形態において、いま、天井躯体に吊持される複数の吊りボルト２を介して建築用パネルを敷設するＴバー４等を組み付けてユニット天井面を形成し、前記吊りボルト２、２間で一端を天井躯体側に基端を天井面側に架設して補強ブレース５を取り付けるのであるが、補強ブレース５の一端側がボルト部５１で構成され、該ボルト部５１には、前記吊りボルト２へ取着される取付金具６が螺入されて設けられている。この取付金具６は、前記ボルト部５１が螺入されるナット部６１と、該ナット部６１から上下に延設されて前記吊りボルト２に対し分力が働くようそれぞれを独立して引っ掛け係止せしめる係止部６２ａ、６３ａが形成された二股状の係止片６２、６３とで構成されており、かつ、それぞれの係止片６２、６３の角度を前記ボルト部５１、前記ボルト部が螺入される任意の傾斜角（略４５度）をもって、前記係止部６２ａ、６３ａの形成位置を、前記任意の傾斜角をもって夫々が係止されるよう形成せしめると共に、前記ボルト部５１先端を前記吊りボルト２に対面当接可能に配置させて構成されている。
これにより、前記補強ブレース５は、前記係止部６２ａ、６３ａを吊りボルト２の上部側に引っ掛けて係止させた際に略４５度の傾きが得られ、その後に基端側からの回転操作で前記ボルト部５１を緊締させ、前記任意傾斜角への角度誤差に対しては、上側または下側係止片の何れかで係止せしめることで、調整しながら取付けすることができ、補強ブレース５の引張り調整を含めた取り付け作業を全て基端側となる手元で行えるようになり、別途足場を必要とすることが無く、かつ作業者が移動することなしに簡単に取付けすることができ、作業コストを低減し作業性を向上することができる。
しかも、取付金具６の係止片６２、６３が二股状となっているので、吊りボルト２に対して前記分力が直角または斜め方向にはたらくようそれぞれが支点となってささえられ、ボルト部５１と係止片６２、６３とによる三点支持構造が確立できる。その結果、現場において基本傾斜角度に対して±５度といったような誤差調整が要求されても、ボルト部５１を緩め操作してその先端と吊りボルト２との間の当接間隔を調整することで、ボルト部５１の当接部を支点として上側係止片６２または下側係止片６３の何れかで二点支持することができ、±何れの取り付け傾斜誤差にも対応して用いることができる。
【００１３】
また、ボルト部５１の先端を直接的に吊りボルト２に当接させているので、ボルト部５１の先端が吊りボルト２のボルト溝に係止し、図示の前後方向に補強ブレース５を動かすことができ、基端側の連結金具４１ａとの取り付け作業も容易に行える。
なお、前記上側係止片６２と下側係止片６３の形成角度を異なしめ、上側係止片６２が、下側係止片６３よりも長尺に構成されているため、係止する際に取付金具６が横向きとなる場合でも、下側係止部６３ａを吊りボルト２に係止し横方向に押圧すれば自然に起立姿勢となり、上側係止部６２ａが追随して係止される。
また、ボルト部５１の先端を直接的に吊りボルト２に当接させたが、可動当て板を介して間接的に行うようようなボルト部構成とし、また、吊りボルト２に先端側で係止した係止部６２ａ、６３ａを下端側で係止させ、前記当て板を反対側（外側）から当接させるようなボルト部構成としても良い。
【００１４】
また、前記上側係止片６２は、前記補強ブレース５の略延長線上となるよう構成されていることにより、補強ブレース５が傾斜して取り付けられた祭に最適なトラスモーメントが得られる利点があると共に、前記取付金具６には、前記ボルト部５１の先端縁を支持する支持片６４が設けられているため、ナット部６１から進退するボルト部５１を、振れ止めして吊りボルト２に対して正確に当接案内することができ、しかも、当接した際には、当該先端部に対して前記ナット部６１間で曲げ応力の負荷が加わらないように支持することができる。
【００１５】
さらに、前記係止部６２ａ、６３ａはフック状に形成されているので、取り付けし易いと共に、地震などによる横方向揺れは勿論、前後方向の揺れに対しても不用意に外れてしまうことが無い。
【００１６】
前記取付金具６は、板状体を折曲してナット部と上下の係止片６２，６３とが形成されていることにより、４５度以外の角度設定も折曲調整するだけで行うことができ、その係止部６２ａ、６３ａは略Ｃ字型フック状に切欠き形成されているので、吊りボルト２のボルト溝との歯合作用（特に上側係止部６２ａ）が行われてズレが規制される。なお、取付金具６は、縦長金属板を上下方向にして上側係止片６２と下側係止片６３を台形状に折曲形成したが、これに限定されるものでなく、横長金属板を折曲して形成しても良く、要はナット部６１、上側係止片６２、下側係止片６３で構成されたものであれば良く、上側係止片６２、下側係止片６３の角度設定も４５度に限定されない。
【００１７】
また、第１実施例による補強ブレース５は、その本体がチャンネル材５ａで構成され、ボルト部５１は、該チャンネル材５ａにビス止めして組み付けられているので、ビス止め孔を長孔にするなどすればボルト部５１の組付け角度調整も容易に行うことができる利点がある。
【００１８】
一方、第２実施例による補強ブレース５は、その本体自体がボルト材５ｂで構成されているので、ボルト部５１が一体形成され、第１実施例のものに比し別途ボルト部５１の制作と組付作業が不要となり、コスト削減を図ることができる利点がある。
【００１９】
【発明の効果】
本発明は、天井躯体１に吊持される複数の吊りボルト２を介して建築用パネルを敷設するＴバー４等を組み付けてユニット天井面を形成し、前記吊りボルト２、２間で一端を天井躯体１側に基端を天井面側に架設して取り付けられる補強ブレース５であって、少なくとも該補強ブレース５の一端側をボルト部５１で構成する一方、該ボルト部５１には、ボルト部５１に螺入されて前記吊りボルトへ取着される取付金具６を設け、該取付金具６は、前記ボルト部５１が螺入されるナット部６１と、該ナット部６１から上下に延設されて前記吊りボルト２に対しそれぞれを独立して引っ掛け係止せしめる係止部６２ａ，６３ａを有する二股状の係止片６２，６３とからなり、かつ、それぞれの係止片６２，６３の角度を前記ボルト部５１が任意の傾斜角をもって螺入されるよう異ならしめ、前記係止部６２ａ，６３ａの形成位置を前記傾斜角が享受されるよう形成せしめると共に、前記ボルト部５１先端を前記吊りボルト２に対面当接可能に配置させて構成し、前記補強ブレース５を、前記係止部６２ａ，６３ａを係止させた後に基端側からの回転操作で前記ボルト部５１を緊締させ、前記任意傾斜角への角度誤差に対しては、上側または下側係止片の何れかで係止せしめて取付けすべく構成したことにより、
補強ブレース５を、吊持される吊りボルト２，２間で傾斜架設させて取付けする際、先端側の取付金具６を引っ掛けて基端側で回転操作するだけて、取付金具６を吊りボルト２の上部に取り付けすることができ、補強ブレース５の引張り調整を含めた取り付け作業を全て基端側となる手元で行えるようになり、別途足場を必要とすることが無く、かつ作業者が移動することなしに簡単に取付けすることができ、作業コストを低減し作業性を向上することができる。しかも、取付金具６の係止片６２，６３が二股状となっているので、吊りボルトに対して直角または斜め方向に分力が働くようそれぞれを独立して支持させることができ、また、現場において基本傾斜角度に対して誤差調整が要求されても、ボルト部５１先端を支点として上側係止片６２または下側係止片６３の何れかで支持することが可能となって、±何れの取り付け傾斜誤差にも対応して用いることができるものである。
【図面の簡単な説明】
【図１】第１実施例の納まり図
【図２】第２実施例の納まり図
【図３】第１実施例の要部拡大図
【図４】取付金具の斜視図
【符号の説明】
１     天井躯体
２     吊りボルト
４     Ｔバー
４１   ハンガー
４１ａ 連結金具
４１ｂ 連結金具
５     補強ブレース
５ａ   チャンネル材
５ｂ   ボルト材
５１   ボルト部
５１ａ 取付片
６     取付金具
６１   ナット部
６１ａ ナット孔
６２   上側係止片
６２ａ 上側係止部
６３   下側係止片
６３ａ 下側係止部
６４   支持片
【図１】
0003680168.tif 000002
【図２】
0003680168.tif 000003
【図３】
0003680168.tif 000004
【図４】
0003680168.tif 000005